【手続補正書】
【提出日】令和1年10月31日(2019.10.31)
【手続補正１】
【補正対象書類名】特許請求の範囲
【補正対象項目名】全文
【補正方法】変更
【補正の内容】
【特許請求の範囲】
【請求項１】
アッセイ装置であって、
第１の光源及び第１のセンサーを有する第１の検出チャネルを備える第１の蛍光光度計であって、前記第１の検出チャネルは第１の検出領域において前記第１の光源により生成される光を放射する及び集束させる、並びに前記第１のセンサー上で光を受光する及び集束させるように構成される、第１の蛍光光度計と、
第１の非蛍光表面部分と空隙とを備え、第１のレセプタクルを支持するように構成されるキャリアであって、前記キャリア及び前記第１の蛍光光度計は、少なくとも、（ｉ）前記第１のレセプタクルの一部が前記第１の検出領域内にある第１の位置と、（ｉｉ）前記キャリアの前記第１の非蛍光表面部分が前記第１の検出領域内にある第２の位置と、（ｉｉｉ）前記空隙が前記第１の検出領域内にある第３の位置と、の間で、互いに対して移動可能である、キャリアと、
前記第１の蛍光光度計に動作可能に結合され、並びに
前記キャリアが前記第１の位置にある間に、前記第１のセンサーに集束される光の第１の測定される強度に基づいて、前記第１のレセプタクル内に収容されたサンプルの特性を決定する、及び
前記第２の測定される強度が第１の所定の空隙強度範囲内にあるかどうかを決定することにより、前記キャリアが前記第３の位置にある間に前記第１のセンサーに集束される光の第２の測定される強度に、少なくとも基づいて、前記第１の蛍光光度計の動作性能状態を決定するように構成される、コントローラーと、を備える、アッセイ装置。
【請求項２】
前記第１の所定の空隙強度範囲はゼロを含む、請求項１に記載のアッセイ装置。
【請求項３】
前記コントローラーは、前記キャリアが前記第２の位置にある間に前記第１のセンサーに集束される光の第３の測定される強度に基づいて、前記第１の蛍光光度計の前記動作性能状態を決定するようにさらに構成される、請求項１又は２に記載のアッセイ装置。
【請求項４】
前記コントローラーは、前記第３の測定される強度が第１の所定の非蛍光表面強度範囲内にあるかどうかを決定することにより、前記第１の蛍光光度計の前記動作性能状態を決定するように構成される、請求項３に記載のアッセイ装置。
【請求項５】
前記第１の所定の非蛍光表面強度範囲はゼロより大きい、請求項４に記載のアッセイ装置。
【請求項６】
前記第１の所定の非蛍光表面強度範囲は５〜５８００相対蛍光単位（ＲＦＵ）である、請求項４又は５に記載のアッセイ装置。
【請求項７】
前記第１の所定の空隙強度範囲は、０〜２２６０の相対蛍光単位（ＲＦＵ）である、請求項１〜６のいずれか１項に記載のアッセイ装置。
【請求項８】
前記第１の蛍光光度計は、第２の光源及び第２のセンサーを有する第２の検出チャネルを更に備え、前記第２の検出チャネルは、第２の検出領域において前記第２の光源により生成される光を放射する及び集束させる、並びに前記第２のセンサー上で光を受光する及び集束させるように構成され、
前記キャリアは、第２の非蛍光表面部分を更に備え、及び更に第２のレセプタクルを支持するように構成され、前記キャリア及び前記第１の蛍光光度計は、少なくとも、（ｉ）前記第２のレセプタクルの一部が前記第２の検出領域内にある前記第１の位置と、（ｉｉ）前記第２の位置と、（ｉｉｉ）前記第３の位置と、（ｉｖ）前記キャリアの前記第２の非蛍光表面部分が前記第２の検出領域内にある第４の位置と、の間で互いに対して移動可能であり、
前記コントローラーは、
前記キャリアが前記第１の位置にある間に、前記第２のセンサーに集束される光の第４の測定される強度に基づいて、前記第２のレセプタクル内に収容されたサンプルの特性を決定し、及び、
前記キャリアが前記第３の位置にある間に前記第２のセンサー上に集束される光の第５の測定される強度に、少なくとも更に基づいて、前記第１の蛍光光度計の前記動作性能状態を決定するように更に構成される、請求項１〜７のいずれか１項に記載のアッセイ装置。
【請求項９】
前記コントローラーは、前記キャリアが前記第４の位置にある間に前記第２のセンサーに集束される光の第６の測定される強度に基づいて、前記第１の蛍光光度計の前記動作性能状態を決定するようにさらに構成される、請求項８に記載のアッセイ装置。
【請求項１０】
前記コントローラーは、
前記第５の測定される強度が第２の所定の空隙強度範囲内にあるかどうかを決定することにより、前記第１の蛍光光度計の前記動作性能状態を決定することと、
前記第６の測定強度が第２の所定の非蛍光表面強度範囲内にあるかどうかを決定することにより、前記第６の測定される強度に基づいて前記第１の蛍光光度計の前記動作性能状態を決定することと
を行うように構成される、請求項９に記載のアッセイ装置。
【請求項１１】
前記第１の非蛍光表面部分及び前記第２の非蛍光表面部分は、直線的に整列され、かつ同一平面上にあり、それぞれが、アルミニウム表面を備える、請求項８〜１０のいずれか１項に記載のアッセイ装置。
【請求項１２】
第１の光源及び第１のセンサーを有する第１の検出チャネルを備える第２の蛍光光度計であって、前記第２の蛍光光度計の前記第１の検出チャネルは、前記第２の蛍光光度計の第１の検出領域において前記第２の蛍光光度計の前記第１の光源により生成される光を放射する及び集束させる、並びに前記第２の蛍光光度計の前記第１センサーで光を受光する及び集束させるように構成される、第２の蛍光光度計を更に備え、
前記キャリアは、第３の非蛍光表面部分と第２の空隙とを更に含み、及び第３のレセプタクルを支持するように更に構成され、
前記キャリア及び前記第２の蛍光光度計は、少なくとも、（ｉ）前記第３のレセプタクルの一部が前記第２の蛍光光度計の前記第１の検出領域内にある前記第１の位置と、（ｉｉ）前記キャリアの前記第３の非蛍光表面部分が前記第２の蛍光光度計の前記第１の検出領域内にある前記第２の位置と、（ｉｉｉ）前記第２の空隙が前記第２の蛍光光度計の前記第１の検出領域内にある第３の位置と、の間で互いに対して移動可能であり、
前記コントローラーは、
前記キャリアが前記第１の位置にある間に、前記第２の蛍光光度計の前記第１のセンサーに集束される光の第７の測定される強度に基づいて、前記第３のレセプタクル内に収容されたサンプルの特性を決定するように、及び、
前記キャリアが前記第３の位置にある間に前記第２の蛍光光度計の前記第１のセンサーに集束される光の第８の測定される強度に、少なくとも基づいて、前記第２の蛍光光度計の動作性能状態を決定するように更に構成される、請求項１〜１１のいずれか１項に記載のアッセイ装置。
【請求項１３】
前記コントローラーは、前記キャリアが前記第２の位置にある間に前記第２の蛍光光度計の前記第１のセンサーに集束される光の第９の測定される強度に基づいて、前記第２の蛍光光度計の前記動作性能状態を決定するようにさらに構成される、請求項１２に記載のアッセイ装置。
【請求項１４】
前記コントローラーは、前記第８の測定される強度が第３の所定の空隙強度範囲内にあるかどうかを決定することにより、及び前記第９の測定される強度が第３の所定の非蛍光表面強度範囲内にあるかどうかを決定することにより、前記第２の蛍光光度計の前記動作性能状態を決定するように構成される、請求項１３に記載のアッセイ装置。
【請求項１５】
第３の所定の凹部強度範囲はゼロを含む、請求項１４に記載のアッセイ装置。
【請求項１６】
前記第２の蛍光光度計は、第２の光源及び第２のセンサーを有する第２の検出チャネルを更に備え、前記第２の蛍光光度計の前記第２の検出チャネルは、第２の検出領域において前記第２の蛍光光度計の前記第２の光源により生成される光を放射する及び集束させる、並びに前記第２の蛍光光度計の前記第２のセンサー上で光を受光する及び集束させるように構成され、
第４の非蛍光表面部分を更に備える前記キャリアは、第４のレセプタクルを支持するように更に構成され、
前記キャリア及び前記第２の蛍光光度計は、少なくとも、（ｉ）前記第４のレセプタクルの一部が前記第２の蛍光光度計の前記第２の検出領域内にある前記第１の位置と、（ｉｉ）前記第２の位置と、（ｉｉｉ）前記第３の位置と（ｉｖ）前記キャリアの前記第４の非蛍光表面部分が前記第２の蛍光光度計の前記第２の検出領域内にある前記第４の位置と、の間で互いに対して移動可能であり、
前記コントローラーは、
前記キャリアが前記第１の位置にある間に、前記第２の蛍光光度計の前記第２のセンサーに集束される光の第１０の測定される強度に基づいて、前記第４のレセプタクル内に収容されたサンプルの特性を決定するように、及び、
前記キャリアが前記第３の位置にある間に前記第２の蛍光光度計の前記第２のセンサーに集束される光の第１１の測定される強度に、少なくとも更に基づいて、前記第２の蛍光光度計の前記動作性能状態を決定するように、更に構成される、請求項１２〜１５のいずれか１項に記載のアッセイ装置。
【請求項１７】
前記コントローラーは、前記キャリアが前記第４の位置にある間に前記第２の蛍光光度計の前記第２のセンサーに集束される光の第１２の測定される強度に基づいて、前記第２の蛍光光度計の前記動作性能状態を決定するようにさらに構成される、請求項１６に記載のアッセイ装置。
【請求項１８】
前記コントローラーは、前記第１１の測定される強度が第４の所定の空隙強度範囲内にあるかどうかを決定することにより、及び前記第１２の測定される強度が第４の所定の非蛍光表面強度範囲内にあるかどうかを決定することにより、前記第２の蛍光光度計の前記動作性能状態を決定するように構成される、請求項１７に記載のアッセイ装置。
【請求項１９】
前記第１の位置における前記第１の蛍光光度計と前記第１のレセプタクルの前記一部との間の距離（ｈ２）は、前記第２の位置における前記第１の蛍光光度計と前記第１の非蛍光表面部分との間の距離（ｈ１）よりも大きい、請求項１〜１８のいずれか１項に記載のアッセイ装置。
【請求項２０】
前記第１の位置における前記第１の蛍光光度計と前記第１のレセプタクルの前記一部との間の距離（ｈ２）は、前記第２の位置における前記第１の蛍光光度計と前記第１の非蛍光表面部分との間の距離（ｈ１）よりも小さい、請求項１〜１８のいずれか１項に記載のアッセイ装置。
【請求項２１】
前記キャリアは、第１のディスクと、前記第１のディスクと離間する第２のディスクとを備えるカルーセルであり、前記第２のディスクは、前記第１のディスクと前記第１の蛍光光度計との間にあり、前記第２のディスクは、前記第１の非蛍光表面部分を含むスポークにより接続される同心の内側リング及び外側リングを備え、前記第２のディスクは、前記空隙を画定する、請求項１〜２０のいずれか１項に記載のアッセイ装置。
【請求項２２】
前記キャリアは移動可能であり、前記第１の蛍光光度計は固定されている、請求項１〜２１のいずれか１項に記載のアッセイ装置。
【請求項２３】
前記キャリアは移動可能であり、前記第１の蛍光光度計は移動可能である、請求項１〜２１のいずれか１項に記載のアッセイ装置。
【請求項２４】
前記キャリアは固定されており、前記第１の蛍光光度計は移動可能である、請求項１〜２１のいずれか１項に記載のアッセイ装置。
【手続補正２】
【補正対象書類名】明細書
【補正対象項目名】００６９
【補正方法】変更
【補正の内容】
【００６９】
実施形態の更なる特徴及び利点、並びに様々な実施形態の構造及び動作については、添付の図面を参照して以下で詳細に説明する。本発明は、本明細書に記載の特定の実施形態に限定されないことに留意されたい。このような実施形態は、例示の目的のためだけに本明細書に提示される。更なる実施形態は、本明細書に含まれる教示に基づいて当業者には明らかであろう。
本願明細書は、例えば、以下の項目も提供する。
（項目１）
アッセイ装置であって、
第１の光源及び第１のセンサーを有する第１の検出チャネルを備える第１の蛍光光度計であって、前記第１の検出チャネルは第１の検出領域において前記第１の光源により生成される光を放射する及び集束させる、並びに前記第１のセンサー上で光を受光する及び集束させるように構成される、第１の蛍光光度計と、
第１の非蛍光表面部分を備え、凹部を画定し、第１のレセプタクルを支持するように構成されるキャリアであって、前記キャリア及び前記第１の蛍光光度計は、少なくとも、（ｉ）前記第１のレセプタクルの一部が前記第１の検出領域内にある第１の位置と、（ｉｉ）前記キャリアの前記第１の非蛍光表面部分が前記第１の検出領域内にある第２の位置と、（ｉｉｉ）前記凹部が前記第１の検出領域内にある第３の位置と、の間で、互いに対して移動可能である、キャリアと、
前記第１の蛍光光度計に動作可能に結合され、並びに
前記キャリアが前記第１の位置にある間に、前記第１のセンサーに集束される光の第１の測定される強度に基づいて、前記第１のレセプタクル内に収容されたサンプルの特性を決定する、及び
（ｉ）前記キャリアが前記第２の位置にある間に前記第１のセンサーに集束される光の第２の測定される強度と、（ｉｉ）前記キャリアが前記第３の位置にある間に前記第１のセンサーに集束される光の第３の測定される強度と、のうちの少なくとも１つに基づいて、前記第１の蛍光光度計の動作性能状態を決定するように構成される、コントローラーと、を備える、アッセイ装置。
（項目２）
前記コントローラーは、前記第２の測定される強度が第１の所定の非蛍光表面強度範囲内にあるかどうかを決定することにより、前記動作性能状態を決定するように構成される、項目１に記載のアッセイ装置。
（項目３）
前記第１の所定の非蛍光表面強度範囲はゼロより大きい、項目２に記載のアッセイ装置。
（項目４）
前記第１の所定の非蛍光表面強度範囲は５〜５８００相対蛍光単位（ＲＦＵ）である、項目２又は３に記載のアッセイ装置。
（項目５）
前記コントローラーは、前記第３の測定される強度が第１の所定の凹部強度範囲内にあるかどうかを決定することにより、前記蛍光光度計の前記動作性能状態を決定するように構成される、項目１〜４のいずれか１項に記載のアッセイ装置。
（項目６）
前記第１の所定の凹部強度範囲はゼロを含む、項目５に記載のアッセイ装置。
（項目７）
前記第１の所定の凹部強度範囲は、０〜２２６０の相対蛍光単位（ＲＦＵ）である、項目５又は６に記載のアッセイ装置。
（項目８）
前記コントローラーは、前記第２の測定される強度及び前記第３の測定される強度の両方に基づいて、前記蛍光光度計の前記動作性能状態を決定するように構成される、項目１〜７のいずれか１項に記載のアッセイ装置。
（項目９）
前記動作性能状態は、故障状態又は劣化した性能状態である、項目１〜８のいずれか１項に記載のアッセイ装置。
（項目１０）
前記第１のレセプタクル内に収容された前記サンプルの前記特性は、特定の分析物が前記第１のレセプタクル内に収容された前記サンプル中に存在するかどうかである、項目１〜９のいずれか１項に記載のアッセイ装置。
（項目１１）
前記第１のレセプタクル内に収容された前記サンプルの前記特性は、前記第１のレセプタクル内に収容された前記サンプル中の特定の分析物の量である、項目１〜９のいずれか１項に記載のアッセイ装置。
（項目１２）
前記第１の蛍光光度計は、第２の光源及び第２のセンサーを有する第２の検出チャネルを更に備え、前記第２の検出チャネルは、第２の検出領域において前記第２の光源により生成される光を放射する及び集束させる、並びに前記第２のセンサー上で光を受光する及び集束させるように構成され、
前記キャリアは、第２の非蛍光表面部分を更に備え、及び更に第２のレセプタクルを支持するように構成され、前記キャリア及び前記第１の蛍光光度計は、少なくとも、（ｉ）前記第２のレセプタクルの一部が前記第２の検出領域内にある前記第１の位置と、（ｉｉ）前記第２の位置と、（ｉｉｉ）前記第３の位置と、（ｉｖ）前記キャリアの前記第２の非蛍光表面部分が前記第２の検出領域内にある第４の位置と、の間で互いに対して移動可能であり、
前記コントローラーは、
前記キャリアが前記第１の位置にある間に、前記第２のセンサーに集束される光の第４の測定される強度に基づいて、前記第２のレセプタクル内に収容されたサンプルの特性を決定し、及び、
（ｉ）前記キャリアが前記第４の位置にある間に前記第２のセンサー上に集束される光の第５の測定される強度と、（ｉｉ）前記キャリアが前記第３の位置にある間に前記第２のセンサーに集束される光の第６の測定される強度と、のうちの少なくとも１つに更に基づいて、前記第１の蛍光光度計の前記動作性能状態を決定するように更に構成される、項目１〜１１のいずれか１項に記載のアッセイ装置。
（項目１３）
前記コントローラーは、前記第５の測定強度が第２の所定の非蛍光表面強度範囲内にあるかどうかを決定することにより、前記第５の測定される強度に基づいて前記第１の蛍光光度計の前記動作性能状態を決定するように構成される、項目１２に記載のアッセイ装置。
（項目１４）
前記第１の非蛍光表面部分及び前記第２の非蛍光表面部分は、直線的に整列され、かつ同一平面上にある、項目１２又は１３に記載のアッセイ装置。
（項目１５）
前記第１の非蛍光表面部分及び前記第２の非蛍光表面部分の各々は、アルミニウム表面を備える、項目１２〜１４のいずれか１項に記載のアッセイ装置。
（項目１６）
前記コントローラーは、前記第６の測定される強度が第２の所定の凹部強度範囲内にあるかどうかを決定することにより、前記第１の蛍光光度計の前記動作性能状態を決定するように構成される、項目１２〜１５のいずれか１項に記載のアッセイ装置。
（項目１７）
前記コントローラーは、前記第５の測定される強度及び前記第６の測定される強度の両方に基づいて、前記第１の蛍光光度計の前記動作性能状態を決定するように構成される、項目１２〜１６のいずれか１項に記載のアッセイ装置。
（項目１８）
第１の光源及び第１のセンサーを有する第１の検出チャネルを備える第２の蛍光光度計であって、前記第２の蛍光光度計の前記第１の検出チャネルは、前記第２の蛍光光度計の第１の検出領域において前記第２の蛍光光度計の前記第１の光源により生成される光を放射する及び集束させる、並びに前記第２の蛍光光度計の前記第１センサーで光を受光する及び集束させるように構成される、第２の蛍光光度計を更に備え、
前記キャリアは、第３の非蛍光表面部分を更に含み、第２の凹部を更に画定し、及び第３のレセプタクルを支持するように更に構成され、
前記キャリア及び前記第２の蛍光光度計は、少なくとも、（ｉ）前記第３のレセプタクルの一部が前記第２の蛍光光度計の前記第１の検出領域内にある前記第１の位置と、（ｉｉ）前記キャリアの前記第３の非蛍光表面部分が前記第２の蛍光光度計の前記第１の検出領域内にある前記第２の位置と、（ｉｉｉ）前記第２の凹部が前記第２の蛍光光度計の前記第１の検出領域内にある第３の位置と、の間で互いに対して移動可能であり、
前記コントローラーは、
前記キャリアが前記第１の位置にある間に、前記第２の蛍光光度計の前記第１のセンサーに集束される光の第７の測定される強度に基づいて、前記第３のレセプタクル内に収容されたサンプルの特性を決定するように、及び、
（ｉ）前記キャリアが前記第２の位置にある間に前記第２の蛍光光度計の前記第１のセンサーに集束される光の第８の測定される強度と、（ｉｉ）前記キャリアが前記第３の位置にある間に前記第２の蛍光光度計の前記第１のセンサーに集束される光の第９の測定される強度と、のうちの少なくとも１つに基づいて、前記第２の蛍光光度計の動作性能状態を決定するように更に構成される、項目１〜１７のいずれか１項に記載のアッセイ装置。
（項目１９）
前記コントローラーは、前記第８の測定される強度が第３の所定の非蛍光表面強度範囲内にあるかどうかを決定することにより、前記第２の蛍光光度計の前記動作性能状態を決定するように構成される、項目１８に記載のアッセイ装置。
（項目２０）
前記第３の所定の非蛍光表面強度範囲は、ゼロより大きい、項目１９に記載のアッセイ装置。
（項目２１）
前記第３の所定の非蛍光表面強度範囲は、５〜５８００相対蛍光単位（ＲＦＵ）である、項目１９又は２０に記載のアッセイ装置。
（項目２２）
前記コントローラーは、前記第９の測定される強度が第３の所定の凹部強度範囲内にあるかどうかを決定することにより、前記第２の蛍光光度計の前記動作性能状態を決定するように構成される、項目１８〜２１のいずれか１項に記載のアッセイ装置。
（項目２３）
前記第３の所定の凹部強度範囲はゼロを含む、項目２２に記載のアッセイ装置。
（項目２４）
前記第３の所定の凹部強度範囲は、０〜２２６０の相対蛍光単位（ＲＦＵ）である、項目２２又は２３に記載のアッセイ装置。
（項目２５）
前記コントローラーは、前記第８の測定される強度及び前記第９の測定される強度の両方に基づいて、前記第２の蛍光光度計の前記動作性能状態を決定するように構成される、項目１８〜２４のいずれか１項に記載のアッセイ装置。
（項目２６）
前記第３のレセプタクル内に収容された前記サンプルの前記特性は、特定の分析物が前記第３のレセプタクル内に収容された前記サンプル中に存在するかどうかである、項目１８〜２５のいずれか１項に記載のアッセイ装置。
（項目２７）
前記第３のレセプタクル内に収容された前記サンプルの前記特性は、前記第３のレセプタクル内に収容された前記サンプル中の特定の分析物の量である、項目１８〜２５のいずれか１項に記載のアッセイ装置。
（項目２８）
前記第２の蛍光光度計は、第２の光源及び第２のセンサーを有する第２の検出チャネルを更に備え、前記第２の蛍光光度計の前記第２の検出チャネルは、第２の検出領域において前記第２の蛍光光度計の前記第２の光源により生成される光を放射する及び集束させる、並びに前記第２の蛍光光度計の前記第２のセンサー上で光を受光する及び集束させるように構成され、
第４の非蛍光表面部分を更に備える前記キャリアは、第４のレセプタクルを支持するように更に構成され、
前記キャリア及び前記第２の蛍光光度計は、少なくとも、（ｉ）前記第４のレセプタクルの一部が前記第２の蛍光光度計の前記第２の検出領域内にある前記第１の位置と、（ｉｉ）前記第２の位置と、（ｉｉｉ）前記第３の位置と（ｉｖ）前記キャリアの前記第４の非蛍光表面部分が前記第２の蛍光光度計の前記第２の検出領域内にある前記第４の位置と、の間で互いに対して移動可能であり、
前記コントローラーは、
前記キャリアが前記第１の位置にある間に、前記第２の蛍光光度計の前記第２のセンサーに集束される光の第１０の測定される強度に基づいて、前記第４のレセプタクル内に収容されたサンプルの特性を決定するように、及び、
（ｉ）前記キャリアが前記第４の位置にある間に前記第２の蛍光光度計の前記第２のセンサーに集束される光の第１１の測定される強度と、（ｉｉ）前記キャリアが前記第３の位置にある間に前記第２の蛍光光度計の前記第２のセンサーに集束される光の第１２の測定される強度と、のうちの少なくとも１つに更に基づいて、前記第２の蛍光光度計の前記動作性能状態を決定するように、更に構成される、項目１８〜２７のいずれか１項に記載のアッセイ装置。
（項目２９）
前記コントローラーは、前記第１１の測定される強度が第４の所定の非蛍光表面強度範囲内にあるかどうかを決定することにより、前記第２の蛍光光度計の前記動作性能状態を決定するように構成される、項目２８に記載のアッセイ装置。
（項目３０）
前記第３の非蛍光表面部分及び前記第４の非蛍光表面部分は、直線的に整列され、かつ同一平面上にある、項目２８又は２９に記載のアッセイ装置。
（項目３１）
前記第３の非蛍光表面部分及び前記第４の非蛍光表面部分の各々は、アルミニウム表面を備える、項目２８〜３０のいずれか１項に記載のアッセイ装置。
（項目３２）
前記コントローラーは、前記第１２の測定される強度が第４の凹部の強度範囲内にあるかどうかを決定することにより、前記第２の蛍光光度計の前記動作性能状態を決定するように更に構成される、項目２８〜３１のいずれか１項に記載のアッセイ装置。
（項目３３）
前記コントローラーは、前記第１１の測定される強度及び前記第１２の測定される強度の両方に基づいて、前記第２の蛍光光度計の前記動作性能状態を決定するように更に構成される、項目２８〜３２のいずれか１項に記載のアッセイ装置。
（項目３４）
前記第１の位置における前記第１の蛍光光度計と前記第１のレセプタクルの前記一部との間の距離は、前記第２の位置における前記第１の蛍光光度計と前記第１の非蛍光表面部分との間の距離よりも大きい、項目１〜３３のいずれか１項に記載のアッセイ装置。
（項目３５）
前記第１の位置における前記第１の蛍光光度計と前記第１のレセプタクルの前記一部との間の距離は、前記第２の位置における前記第１の蛍光光度計と前記第１の非蛍光表面部分との間の距離よりも小さい、項目１〜３３のいずれか１項に記載のアッセイ装置。
（項目３６）
前記キャリアは、第１のディスクと、前記第１のディスクと離間する第２のディスクとを備えるカルーセルであり、前記第２のディスクは、前記第１のディスクと前記第１の蛍光光度計との間にあり、前記第２のディスクは、前記第１の非蛍光表面部分を含み、及び前記第１の凹部の開口部を画定する、項目１〜３５のいずれか１項に記載のアッセイ装置。
（項目３７）
前記第２のディスクは、前記第１の非蛍光表面部分を含むスポークにより接続される同心の内側リング及び外側リングを備える、項目３６に記載のアッセイ装置。
（項目３８）
前記キャリアは移動可能であり、前記第１の蛍光光度計は固定されている、項目１〜３７のいずれか１項に記載のアッセイ装置。
（項目３９）
前記キャリアは、回転可能である、項目３８のいずれか１項に記載のアッセイ装置。
（項目４０）
前記キャリアは移動可能であり、前記第１の蛍光光度計は移動可能である、項目１〜３７のいずれか１項に記載のアッセイ装置。
（項目４１）
前記キャリアは固定されており、前記第１の蛍光光度計は移動可能である、項目１〜３７のいずれか１項に記載のアッセイ装置。
（項目４２）
サンプルを分析する方法であって、
キャリア上の第１の非蛍光表面部分が第１の蛍光光度計の第１の検出領域内にあるように、前記第１の蛍光光度計に対して前記キャリアを配置することと、
前記第１の蛍光光度計から放射される光を前記第１の蛍光光度計の前記第１の検出領域内の前記第１の非蛍光表面部分上へ導くことと、
前記第１の非蛍光表面部分が前記第１の蛍光光度計の前記第１の検出領域内にある間に、前  記第１の蛍光光度計の第１のセンサーにより検出される光の第１の強度を測定することと、
前記キャリアにより画定される第１の凹部が前記第１の蛍光光度計の前記第１の検出領域内にあるように、前記キャリアと前記第１の蛍光光度計とを互いに対して配置することと、
前記第１の蛍光光度計から放射される光を前記第１の蛍光光度計の前記第１の検出領域内の前記第１の凹部の中へ導くことと、
前記第１の凹部が前記第１の蛍光光度計の前記第１の検出領域内にある間に、前記第１の蛍光光度計の前記第１のセンサーにより検出される光の第２の強度を測定することと、
前記第１の強度及び前記第２の強度のうちの少なくとも１つに基づいて前記第１の蛍光光度計の動作性能状態を決定することと、を含む、方法。
（項目４３）
前記キャリアにより支持される第１のレセプタクルの一部は、前記第１の蛍光光度計の前記第１の検出領域内にあるように、前記キャリアと前記第１の蛍光光度計とを互いに対して配置することと、
前記第１の蛍光光度計から放射される光を前記第１の蛍光光度計の前記第１の検出領域内の前記第１のレセプタクルの前記一部の中へ導くことと、
前記第１のレセプタクルの前記一部が前記第１の蛍光光度計の前記第１の検出領域内にある間に、前記第１の蛍光光度計の前記第１のセンサーにより検出される光の第３の強度を測定することと、
前記第３の強度に基づいて前記第１のレセプタクル内に収容されたサンプルの特性を決定することと、を更に含む、項目４２に記載の方法。
（項目４４）
前記第１のレセプタクル内に収容された前記サンプルの前記特性は、特定の分析物が前記第１のレセプタクル内に収容された前記サンプル中に存在するかどうかである、項目４３に記載の方法。
（項目４５）
前記第１のレセプタクル内に収容された前記サンプルの前記特性は、前記第１のレセプタクル内に収容された前記サンプル中の特定の分析物の量である、項目４３に記載の方法。
（項目４６）
前記キャリア上の前記第１の非蛍光表面部分が前記第１の蛍光光度計の前記第１の検出領域内にあるように、前記キャリア及び前記第１の蛍光光度計を互いに対して配置することは、前記第１の蛍光光度計が固定されている間に前記キャリアを移動させることを含み、前記キャリアにより画定される前記第１の凹部が前記第１の蛍光光度計の前記第１の検出領域内にあるように、前記キャリアと前記第１の蛍光光度計とを互いに対して配置することは、前記第１の蛍光光度計が固定されている間に前記キャリアを移動させることを含む、項目４２〜４５のいずれか１項に記載の方法。
（項目４７）
前記キャリア上の前記第１の非蛍光表面部分が前記第１の蛍光光度計の前記第１の検出領域内にあるように、前記キャリア及び前記第１の蛍光光度計を互いに対して配置することは、前記キャリアが固定されている間に前記第１の蛍光光度計を移動させることを含み、前記キャリアにより画定される前記第１の凹部が前記第１の蛍光光度計の前記第１の検出領域内にあるように、前記キャリアと前記第１の蛍光光度計とを互いに対して配置することは、前記キャリアが固定されている間に前記第１の蛍光光度計を移動させることを含む、項目４２〜４５のいずれか１項に記載の方法。
（項目４８）
前記キャリア上の前記第１の非蛍光表面部分が前記第１の蛍光光度計の前記第１の検出領域内にあるように、前記キャリア及び前記第１の蛍光光度計を互いに対して配置することは、前記第１の蛍光光度計を移動することと、前記キャリアを移動することとを含み、前記キャリアにより画定される前記第１の凹部が前記第１の蛍光光度計の前記第１の検出領域内にあるように、前記キャリアと前記第１の蛍光光度計とを互いに対して配置することは、前記第１の蛍光光度計を移動することと、前記キャリアを移動することとを含む、項目４２〜４５のいずれか１項に記載の方法。
（項目４９）
前記第１の蛍光光度計の前記第１の検出領域内における前記第１の蛍光光度計と前記第１のレセプタクルの前記一部との間の距離は、前記第１の蛍光光度計の前記第１の検出領域内における前記第１の蛍光光度計と前記第１の非蛍光表面部分との間の距離よりも大きい、項目４２〜４８のいずれか１項に記載の方法。
（項目５０）
前記第１の蛍光光度計の前記第１の検出領域内における前記第１の蛍光光度計と前記第１のレセプタクルの前記一部との間の距離は、前記第１の蛍光光度計の前記第１の検出領域内における前記第１の蛍光光度計と前記第１の非蛍光表面部分との間の距離よりも小さい、項目４２〜４８のいずれか１項に記載の方法。
（項目５１）
前記第１の強度及び前記第２の強度のうちの少なくとも１つに基づいて前記第１の蛍光光度計の前記動作性能状態を決定することは、前記第１の強度が第１の所定の非蛍光表面強度範囲内にあるかどうかを決定することを含む、項目４２〜５０のいずれか１項に記載の方法。
（項目５２）
前記第１の所定の非蛍光表面強度範囲はゼロより大きい、項目５１に記載の方法。
（項目５３）
前記第１の所定の非蛍光表面強度範囲は５〜５８００相対蛍光単位（ＲＦＵ）である、項目５１又は５２に記載の方法。
（項目５４）
前記第１の強度及び前記第２の強度のうちの少なくとも１つに基づいて、前記第１の蛍光光度計の前記動作性能状態を決定することは、前記第２の強度が第１の所定の凹部の強度範囲内にあるかどうかを決定することを含む、項目４２〜５３のいずれか１項に記載の方法。
（項目５５）
前記第１の所定の凹部強度範囲はゼロを含む、項目５４に記載の方法。
（項目５６）
前記第１の所定の凹部強度範囲は、０〜２２６０の相対蛍光単位（ＲＦＵ）である、項目５４又は５５に記載の方法。
（項目５７）
前記第１の強度及び前記第２の強度の両方に基づいて、前記蛍光光度計の前記動作性能状態を決定することを更に含む、項目４２〜５６のいずれか１項に記載の方法。
（項目５８）
前記動作性能状態は、故障状態又は劣化した性能状態である、項目４２〜５７のいずれか１項に記載の方法。
（項目５９）
前記キャリア上の第２の非蛍光表面部分が前記第１の蛍光光度計の第２の検出領域内にあるように、前記キャリアと前記第１の蛍光光度計とを互いに対して配置することと、
前記第１の蛍光光度計から放射される光を、前記第１の蛍光光度計の前記第２の検出領域内の前記第２の非蛍光表面部分上へ導くことと、
前記第２の非蛍光表面部分が前記第１の蛍光光度計の前記第２の検出領域内にある間に、前記第１の蛍光光度計の第２のセンサーにより検出される光の第４の強度を測定することと、
前記第１の凹部が前記第１の蛍光光度計の前記第２の検出領域内にあるように、前記キャリアと前記第１の蛍光光度計とを互いに対して配置することと、
前記第１の蛍光光度計から放射される光を前記第１の蛍光光度計の前記第２の検出領域内の前記第１の凹部の中へ導くことと、
前記第１の凹部が前記第１の蛍光光度計の前記第２の検出領域内にある間に、前記第１の蛍光光度計の前記第２のセンサーにより検出される光の第５の強度を測定することと、
前記第４の強度及び前記第５の強度のうちの少なくとも１つに基づいて、前記第１の蛍光光度計の前記動作性能状態を決定することと、を更に含む、項目４２〜５８のいずれか１項に記載の方法。
（項目６０）
前記第１のレセプタクルの前記一部が、前記第１の蛍光光度計の前記第１の検出領域内にある間、前記キャリアにより支持される第２のレセプタクルの一部は前記第１の蛍光光度計の前記第２の検出領域内にある、項目５９に記載の方法。
（項目６１）
前記蛍光光度計から放射される光を前記第１の蛍光光度計の前記第２の検出領域内の前記第２のレセプタクルの前記一部の中へ導くことと、
前記第２のレセプタクルの前記一部が前記第１の蛍光光度計の前記第２の検出領域内にある間に、前記第１の蛍光光度計の前記第２のセンサーにより検出される光の第６の強度を測定することと、
前記第６の強度に基づいて前記第２のレセプタクル内に収容されたサンプルの特性を決定することと、を更に含む、項目６０に記載の方法。
（項目６２）
前記第４の強度及び前記第５の強度のうちの少なくとも１つに基づいて前記第１の蛍光光度計の前記動作性能状態を決定することは、前記第４の強度が第２の所定の非蛍光表面強度範囲内にあるかどうかを決定することを含む、項目５９〜６１のいずれか１項に記載の方法。
（項目６３）
前記第１の非蛍光表面部分及び前記第２の非蛍光表面部分は、直線的に整列され、かつ同一平面上にある、項目５９〜６２のいずれか１項に記載の方法。
（項目６４）
前記第１の非蛍光表面部分及び前記第２の非蛍光表面部分の各々は、アルミニウム表面を備える、項目５９〜６３のいずれか１項に記載の方法。
（項目６５）
前記第４の強度及び前記第５の強度のうちの少なくとも１つに基づいて、前記第１の蛍光光度計の前記動作性能状態を決定することは、前記第５の強度が第２の所定の凹部強度範囲内にあるかどうかを決定することを含む、項目５９〜６４のいずれか１項に記載の方法。
（項目６６）
前記第４の強度及び前記第５の強度のうちの少なくとも１つに基づいて前記第１の蛍光光度計の前記動作性能状態を決定することは、前記第５の強度及び前記第６の強度の両方に基づいて前記蛍光光度計の前記動作性能状態を決定することを含む、項目５９〜６５のいずれか１項に記載の方法。
（項目６７）
前記キャリア上の第３の非蛍光表面部分が第２の蛍光光度計の第１の検出領域内にあるように、前記キャリアと前記第２の蛍光光度計とを互いに対して配置することと、
前記第２の蛍光光度計から放射される光を前記第２の蛍光光度計の前記第１の検出領域内の前記第３の非蛍光表面部分上へ導くことと、
前記第３の非蛍光表面部分が前記第２の蛍光光度計の前記第１の検出領域内にある間に、前記第２の蛍光光度計の第１のセンサーにより検出される光の第６の強度を測定することと、
前記キャリアにより画定される第２の凹部が前記第２の蛍光光度計の前記第１の検出領域内にあるように、前記キャリアと前記第２の蛍光光度計とを互いに対して配置することと、
前記蛍光光度計から放射される光を前記第２の蛍光光度計の前記第１の検出領域内の前記第２の凹部の中へ導くことと、
前記第２の凹部が前記第２の蛍光光度計の前記第１の検出領域内にある間に、前記第２の蛍光光度計の前記第１のセンサーにより検出される光の第７の強度を測定することと、
前記第６の強度及び前記第７の強度のうちの少なくとも１つに基づいて前記第２の蛍光光度計の動作性能状態を決定することと、を更に含む、項目４２〜６６のいずれか１項に記載の方法。
（項目６８）
前記キャリア上の前記第３の非蛍光表面部分が前記第２の蛍光光度計の前記第１の検出領域内にあるように、前記キャリア及び前記第２の蛍光光度計を互いに対して配置することは、前記第２の蛍光光度計が固定されている間に前記キャリアを移動させることを含み、前記キャリアにより画定される前記第２の凹部が前記第２の蛍光光度計の前記第１の検出領域内にあるように、前記キャリアと前記第２の蛍光光度計とを互いに対して配置することは、前記第２の蛍光光度計が固定されている間に前記キャリアを移動させることを含む、項目６７に記載の方法。
（項目６９）
前記キャリア上の前記第３の非蛍光表面部分が前記第２の蛍光光度計の前記第１の検出領域内にあるように、前記キャリア及び前記第２の蛍光光度計を互いに対して配置することは、前記キャリアが固定されている間に前記第２の蛍光光度計を移動させることを含み、前記キャリアにより画定される前記第２の凹部が前記第２の蛍光光度計の前記第１の検出領域内にあるように、前記キャリアと前記第２の蛍光光度計とを互いに対して配置することは、前記キャリアが固定されている間に前記第２の蛍光光度計を移動させることを含む、項目６７に記載の方法。
（項目７０）
前記キャリア上の前記第３の非蛍光表面部分が前記第２の蛍光光度計の前記第１の検出領域内にあるように、前記キャリア及び前記第２の蛍光光度計を互いに対して配置することは、前記第２の蛍光光度計を移動することと、前記キャリアを移動することとを含み、前記キャリアにより画定される前記第２の凹部が前記第２の蛍光光度計の前記第１の検出領域内にあるように、前記キャリアと前記第２の蛍光光度計とを互いに対して配置することは、前記第２の蛍光光度計を移動させることと、前記キャリアを移動させることとを含む、項目６７に記載の方法。
（項目７１）
前記キャリア上の前記第３の非蛍光表面部分が第２の蛍光光度計の第１の検出領域内にある間、前記キャリア上の前記第１の非蛍光表面部分は前記第１の蛍光光度計の前記第１の検出領域内にある、項目６７〜７０のいずれか１項に記載の方法。
（項目７２）
前記キャリアにより支持される第３のレセプタクルの一部は、前記第２の蛍光光度計の前記第１の検出領域内にあるように、前記キャリアと前記第２の蛍光光度計とを互いに対して配置することと、
前記第２の蛍光光度計から放射される光を前記第２の蛍光光度計の前記第１の検出領域内の前記第３のレセプタクルの前記一部の中へ導くことと、
前記第３のレセプタクルの前記一部が前記第２の蛍光光度計の前記第１の検出領域内にある間に、前記第２の蛍光光度計の前記第１のセンサーにより検出される光の第８の強度を測定することと、
前記第８の強度に基づいて前記第３のレセプタクル内に収容されたサンプルの特性を決定することと、を更に含む、項目６７〜７１のいずれか１項に記載の方法。
（項目７３）
前記第１のレセプタクルの前記一部が前記第１の蛍光光度計の前記第１の検出領域内にある間、前記キャリアにより支持される前記第３のレセプタクルの前記一部は前記第２の蛍光光度計の前記第１の検出領域内にある、項目７２に記載の方法。
（項目７４）
前記第３のレセプタクル内に収容された前記サンプルの前記特性は、特定の分析物が前記サンプル中に存在するかどうかである、項目７２又は７３に記載の方法。
（項目７５）
前記第３のレセプタクル内に収容された前記サンプルの前記特性は、前記サンプル中の特定の分析物の量である、項目７２〜７４のいずれか１項に記載の方法。
（項目７６）
前記第６の強度及び前記第７の強度のうちの少なくとも１つに基づいて前記第２の蛍光光度計の前記動作性能状態を決定することは、前記第６の強度が第３の所定の非蛍光表面強度範囲内にあるかどうかを決定することを含む、項目６７〜７５のいずれか１項に記載の方法。
（項目７７）
前記第３の所定の非蛍光表面強度範囲はゼロより大きい、項目７６に記載の方法。
（項目７８）
前記第３の所定の非蛍光表面強度範囲は５〜５８００相対蛍光単位（ＲＦＵ）である、項目７６又は７７に記載の方法。
（項目７９）
前記第６の強度及び前記第７の強度のうちの少なくとも１つに基づいて前記第２の蛍光光度計の前記動作性能状態を決定することは、前記第７の強度が第３の所定の凹部強度範囲内にあるかどうかを決定することを含む、項目６７〜７８のいずれか１項に記載の方法。
（項目８０）
前記第３の所定の凹部強度範囲はゼロを含む、項目７９に記載の方法。
（項目８１）
前記第３の所定の凹部強度範囲は、０〜２２６０の相対蛍光単位（ＲＦＵ）である、項目７９又は８０の方法。
（項目８２）
前記第６の強度及び前記第７の強度のうちの少なくとも１つに基づいて前記第２の蛍光光度計の前記動作性能状態を決定することは、前記第６の強度及び前記第７の強度の両方に基づく、項目６７〜８１のいずれか１項に記載の方法。
（項目８３）
前記キャリア上の第４の非蛍光表面部分が前記第２の蛍光光度計の第２の検出領域内にあるように、前記キャリアと前記第２の蛍光光度計とを互いに対して配置することと、
前記第２の蛍光光度計から放射される光を前記第２の蛍光光度計の前記第２の検出領域内の前記第４の非蛍光表面部分上へ導くことと、
前記第４の非蛍光表面部分が前記第２の蛍光光度計の前記第２の検出領域内にある間に、前記第２の蛍光光度計の第２のセンサーにより検出される光の第９の強度を測定することと、
前記第２の凹部が前記第２の蛍光光度計の前記第２の検出領域内にあるように、前記キャリアと前記第２の蛍光光度計とを互いに対して配置することと、
前記第２の蛍光光度計から放射される光を前記第２の蛍光光度計の前記第２の検出領域内の前記第２の凹部の中へ導くことと、
前記第２の凹部が前記第２の蛍光光度計の前記第２の検出領域内にある間に、前記第２の蛍光光度計の前記第２のセンサーにより検出される光の第１０の強度を測定することと、
前記第９の強度及び前記第１０の強度のうちの少なくとも１つに基づいて前記第２の蛍光光度計の前記動作性能状態を決定することと、を更に含む、項目６７〜８２のいずれか１項に記載の方法。
（項目８４）
前記キャリアにより支持される第４のレセプタクルの一部が前記第２の蛍光光度計の前記第２の検出領域内にあるように、前記キャリアと前記第２の蛍光光度計とを互いに対して配置することと、
前記第２の蛍光光度計から放射される光を前記第２の蛍光光度計の前記第２の検出領域内の前記第４のレセプタクルの前記一部の中へ導くことと、
前記第４のレセプタクルの前記一部が前記第２の蛍光光度計の前記第２の検出領域内にある間に、前記第２の蛍光光度計の前記第２のセンサーにより検出される光の第１１の強度を測定することと、
前記第１１の強度に基づいて前記第４のレセプタクル内に収容されたサンプルの特性を決定することと、を更に含む、項目８３に記載の方法。
（項目８５）
前記第４のレセプタクル内に収容された前記サンプルの前記特性は、特定の分析物が前記第４のレセプタクル内に収容された前記サンプル中に存在するかどうかである、項目８４に記載の方法。
（項目８６）
前記第４のレセプタクル内に収容された前記サンプルの前記特性は、前記第４のレセプタクル内に収容された前記サンプル中の特定の分析物の量である、項目８４に記載の方法。
（項目８７）
前記第９の強度及び前記第１０の強度のうちの少なくとも１つに基づいて前記第２の蛍光光度計の前記動作性能状態を決定することは、前記第９の強度が第４の所定の非蛍光表面強度範囲内にあるかどうかを決定することを含む、項目８３〜８６のいずれか１項に記載の方法。
（項目８８）
前記第３の非蛍光表面部分及び前記第４の非蛍光表面部分は、直線的に整列され、かつ同一平面上にある、項目８３〜８７のいずれか１項に記載の方法。
（項目８９）
前記第３の非蛍光表面部分及び前記第４の非蛍光表面部分の各々は、アルミニウム表面を備える、項目８３〜８８のいずれか１項に記載の方法。
（項目９０）
前記第９の強度及び前記第１０の強度のうちの少なくとも１つに基づいて前記第２の蛍光光度計の前記動作性能状態を決定することは、前記第１０の強度が第４の凹部強度範囲内にあるかどうかを決定することを含む、項目８３〜８９のいずれか１項に記載の方法。
（項目９１）
前記第９の強度及び前記第１０の強度のうちの少なくとも１つに基づいて前記第２の蛍光光度計の前記動作性能状態を決定することは、前記第９の強度及び前記第１０の強度の両方に基づく、項目８３〜９０のいずれか１項に記載の方法。
（項目９２）
前記キャリアは、第１のディスクと、前記第１のディスクと離間する第２のディスクとを備えるカルーセルであり、前記第２のディスクは前記第１のディスクと前記第１の蛍光光度計との間にあり、前記第２のディスクは前記第１の非蛍光表面部分を含み及び前記第１の凹部の開口部を画定する、項目４２〜９１のいずれか１項に記載の方法。
（項目９３）
前記第２のディスクは、前記第１の非蛍光表面部分を含むスポークにより接続される同心の内側リング及び外側リングを備える、項目９２に記載の方法。
（項目９４）
光学信号検出性能を測定するシステムであって、
第１の光源及び第１のセンサーを有する第１の検出チャネルを備える光信号検出器であって、前記第１の検出チャネルは第１の検出領域において前記第１の光源により生成される光を放射する及び集束させる、並びに前記第１のセンサー上で光を受光する及び集束させるように構成される、光信号検出器と、
前記光信号検出器に動作可能に連結され、及び前記光信号検出器の動作性能状態を、（ｉ）第１の非蛍光表面部分が前記第１の検出領域内にある間に、前記センサー上に集束される光の第１の測定される特性と、（ｉｉ）空隙が前記第１の検出領域にある間に、前記センサー上に集束される光の第２の測定される特性と、のうちの少なくとも１つに基づいて決定するように構成されるコントローラーと、を含むシステム。
（項目９５）
前記第１の測定される特性及び前記第２の測定される特性のそれぞれは、光の強度である、項目９４に記載のシステム。
（項目９６）
前記コントローラーは、前記第１の測定される特性が第１の所定の非蛍光表面特性範囲内にあるかどうかを決定することにより、前記動作性能状態を決定するように構成される、項目９４又は９５に記載のシステム。
（項目９７）
前記コントローラーは、前記第２の測定される特性が第１の所定の空隙強度範囲内にあるかどうかを決定することにより、前記光信号検出器の前記動作性能状態を決定するように構成される、項目９４〜９６のいずれか１項に記載のシステム。
（項目９８）
前記コントローラーは、前記第１の測定される特性及び前記第２の測定される特性の両方に基づいて、前記光信号検出器の前記動作性能状態を決定するように構成される、項目９４〜９７のいずれか１項に記載のシステム。
（項目９９）
前記動作性能状態は、適切な動作性能状態、故障状態、及び劣化した性能状態である、項目９４〜９８のいずれか１項に記載のシステム。
（項目１００）
前記動作性能状態は、前記適切な動作性能状態である、項目９９に記載のシステム。
（項目１０１）
前記動作性能状態は、前記故障状態である、項目９９に記載のシステム。
（項目１０２）
前記動作性能状態は、前記劣化した性能状態である、項目９９に記載のシステム。
（項目１０３）
前記光信号検出器は、第２の光源及び第２のセンサーを有する第２の検出チャネルを更に備え、前記第２の検出チャネルは、第２の検出領域において前記第２の光源により生成される光を放射する及び集束させる、並びに前記第２のセンサー上で光を受光する及び集束させるように構成され、
前記コントローラーは、前記第１の光信号検出器の前記動作性能状態を、（ｉ）第２の非蛍光表面部分が前記第２の検出領域内にある間に、前記第２のセンサーに集束される光の第３の測定される特性と、（ｉｉ）前記空隙が前記第２の検出領域にある間に、前記第２のセンサーに集束される光の第４の測定される特性と、のうちの少なくとも１つに更に基づいて決定するように更に構成される、項目９４〜１０２のいずれか１項に記載のシステム。
（項目１０４）
前記コントローラーは、前記第３の測定される特性が第２の所定の非蛍光表面特性範囲内にあるかどうかを決定することにより、前記第３の測定される特性に基づいて前記光信号検出器の前記動作性能状態を決定するように構成される、項目１０３に記載のシステム。
（項目１０５）
前記第１の非蛍光表面部分及び前記第２の非蛍光表面部分の各々は、アルミニウム表面を備える、項目１０３又は１０４に記載のシステム。
（項目１０６）
前記コントローラーは、前記第４の測定される特性が第２の所定の空隙特性範囲内にあるかどうかを決定することにより、前記光信号検出器の前記動作性能状態を決定するように構成される、項目１０３〜１０５のいずれか１項に記載のシステム。
（項目１０７）
前記コントローラーは、前記第３の測定される特性及び前記第４の測定される特性の両方に基づいて、前記光信号検出器の前記動作性能状態を決定するように構成される、項目１０３〜１０６のいずれか１項に記載のシステム。
（項目１０８）
前記光信号検出器は蛍光光度計である、項目９４〜１０７のいずれか１項に記載のシステム。
（項目１０９）
光信号検出器性能を測定する方法であって、
光信号検出器から放射される光を前記光信号検出器の第１の検出領域内の第１の非蛍光表面部分上へ導くことと、
前記第１の非蛍光表面部分が前記光信号検出器の前記第１の検出領域内にある間に、前記第１の光信号検出器の第１のセンサーにより検出される光の第１の特性を測定することと、
前記光信号検出器から放射される光を前記光信号検出器の前記第１の検出領域内の第１の空隙の中へ導くことと、
前記第１の空隙が前記光信号検出器の前記第１の検出領域内にある間に、前記光信号検出器の前記第１のセンサーにより検出される光の第２の特性を測定することと、
前記第１の特性及び前記第２の特性のうちの少なくとも１つに基づいて前記光信号検出器の動作性能状態を決定することと、を含む、方法。
（項目１１０）
前記第１の測定される特性は光の第１の強度であり、前記第２の測定される特性は光の第２の強度である、項目１０９に記載の方法。
（項目１１１）
前記第１の測定される特性及び前記第２の測定される特性のうちの少なくとも１つに基づいて前記光信号検出器の前記動作性能状態を決定することは、前記第１の測定される特性が第１の所定の非蛍光表面特性範囲内にあるかどうかを決定することを含む、項目１０９又は１１０に記載の方法。
（項目１１２）
前記第１の測定される特性及び前記第２の測定される特性のうちの少なくとも１つに基づいて前記光信号検出器の前記動作性能状態を決定することは、前記第２の測定される特性が第１の所定の空隙特性範囲内にあるかどうかを決定することを含む、項目１０９〜１１１のいずれか１項に記載の方法。
（項目１１３）
前記第１の測定される特性及び前記第２の測定される特性の両方に基づいて、前記光信号検出器の前記動作性能状態を決定することを更に含む、項目１０９〜１１２のいずれか１項に記載の方法。
（項目１１４）
前記動作性能状態は、適切な動作性能状態、故障状態、及び劣化した性能状態である、項目１０９〜１１３のいずれか１項に記載の方法。
（項目１１５）
前記動作性能状態は、前記適切な動作性能状態である、項目１１４に記載の方法。
（項目１１６）
前記動作性能状態は、前記故障状態である、項目１１４又は１１５に記載の方法。
（項目１１７）
前記動作性能状態は、前記劣化した性能状態である、項目１１４〜１１６のいずれか１項に記載の方法。
（項目１１８）
前記光信号検出器から放射される光を前記光信号検出器の第２の検出領域内の第２の非蛍光表面部分上へ導くことと、
前記第２の非蛍光表面部分が前記光信号検出器の前記第２の検出領域内にある間に、前記光信号検出器の第２のセンサーにより検出される光の第３の特性を測定することと、
前記光信号検出器から放射される光を前記光信号検出器の前記第２の検出領域内の前記第１の空隙の中へ導くことと、
前記第１の空隙が前記光信号検出器の前記第２の検出領域内にある間に、前記光信号検出器の前記第２のセンサーにより検出される光の第４の特性を測定することと、
前記第３の測定される特性及び前記第４の測定される特性のうちの少なくとも１つに基づいて、前記光信号検出器の前記動作性能状態を決定することと、を更に含む、項目１０９〜１１７のいずれか１項に記載の方法。
（項目１１９）
前記第３の測定される特性及び前記第４の測定される特性のうちの少なくとも１つに基づいて前記光信号検出器の前記動作性能状態を決定することは、前記第３の測定される特性が第２の所定の非蛍光表面特性範囲内にあるかどうかを決定することを含む、項目１１８に記載の方法。
（項目１２０）
前記第１の非蛍光表面部分及び前記第２の非蛍光表面部分の各々は、アルミニウム表面を備える、項目１１８又は１１９に記載の方法。
（項目１２１）
前記第３の測定される特性及び前記第４の測定される特性のうちの少なくとも１つに基づいて前記第１第３の測定される特性の前記動作性能状態を決定することは、前記第４の測定される特性が第２の所定の空隙特性範囲内にあるかどうかを決定することを含む、項目１１８〜１２０のいずれか１項に記載の方法。
（項目１２２）
前記第３の測定される特性及び前記第４の測定される特性のうちの少なくとも１つに基づいて前記光信号検出器の前記動作性能状態を決定することは、前記第３の測定される特性及び前記第４の測定される特性の両方に基づいて、前記光信号検出器の前記動作性能状態を決定することを含む、項目１１８〜１２１のいずれか１項に記載の方法。
（項目１２３）
前記光信号検出器は蛍光光度計である、項目１０９〜１２２のいずれか１項に記載の方法。